(57)【要約】【課題】開口部を通過する人の通過も容易にしつつ、暖気や冷気、光や視線の流入も確実に防止・抑制することができる暖簾装置を提供する。【解決手段】水平方向に延設されて開口部の上方に取り付け可能な棹と、該棹に懸下される複数の暖簾シートとを具備させ、該複数の暖簾シートを、側縁部を互いに重ね合わせた状態で前記棹に取り付けて暖簾装置とする。棹には暖簾シートの巻き上げ手段を付設するのが好ましく、その際、小さい巻き径で棹に巻きつけられる内暖簾シートと、棹の回転軸からみて内暖簾シートよりも径外となる位置で棹に巻きつけられる外暖簾シートを交互に並んで設け、最も外側に位置する最外外暖簾シートに、最外の側縁部の巻き径を内暖簾シートと重なり合っている側縁部と同じくする増厚部を設けるのが好ましい。【選択図】図１
2010265602.tif 000002
【特許請求の範囲】
【請求項１】
水平方向に延設されて開口部の上方に取り付け可能な棹と、該棹に懸下される複数の暖簾シートとを備え、該複数の暖簾シートは、側縁部を互いに重ね合わせた状態で前記棹に取り付けられていることを特徴とする暖簾装置。
【請求項２】
前記棹には、該棹を回転させて前記複数の暖簾シートを巻き上げる巻き上げ手段が付設されていることを特徴とする請求項１に記載の暖簾装置。
【請求項３】
各暖簾シートは、最も小さい巻き径で前記棹に巻きつけられる複数の内暖簾シートを備えると共に、前記棹の回転軸からみて前記内暖簾シートよりも径外となる位置で前記棹に巻きつけられる外暖簾シートを前記内暖簾シートの間に備えていることを特徴とする請求項２に記載の暖簾装置。
【請求項４】
前記棹の軸方向の最も外側に位置する内暖簾シートのさらに外側に最外外暖簾シートを備え、当該外暖簾シートには、前記内暖簾シートと重なり合わない最外の側縁部に沿って、当該側縁部の巻き径を前記内暖簾シートと重なり合っている側縁部と同じくする増厚部が設けられていることを特徴とする請求項３に記載の暖簾装置。
【請求項５】
前記各暖簾シートの長さは、前記棹を取り付ける開口部の高さと略同一に形成されていることを特徴とする請求項１乃至請求項４のいずれかに記載の暖簾装置。
【発明の詳細な説明】
【技術分野】
【０００１】
本発明は、建物の開口部等に取り付ける暖簾装置に関する。
【背景技術】
【０００２】
従来、建物の開口部からの通風や採光を調整可能なものとして、カーテン、簾、スクリーン等が知られている。例えば、カーテン装置は、開口部の幅方向に沿ってカーテンレールを設け、該レール上を摺動するランナーを設け、該ランナーにフックを介してカーテンを取り付けることで構成され、開口部の幅方向に動くことで当該開口部を遮蔽したり開放したりすることが可能となっている。この種のカーテン装置においては、開口部を遮蔽している状態のときにカーテンにより開口部からの通風・採光を遮断又は抑制することができるものの、かかる遮蔽状態では当該開口部を通過する通行人の通行の妨げとなる問題があった。
【０００３】
かかる問題を解決すべく、例えば特許文献１に示す暖簾装置を開口部に設けることが考えられる。当該暖簾装置は、暖簾シートが開口部の高さ相当の長さを有しているものの、各暖簾シート間にスリットが設けられていることで各暖簾シートはそれぞれ独立して吊下される状態となる。これによって、当該暖簾装置の暖簾シートにより開口部が覆われる状態であったとしても、通行人はいずれかの暖簾シートを押圧等することで各暖簾シートを揺動等して暖簾シート間のスリットを拡げて隙間を形成し、当該隙間から開口部の向こう側に移動することが可能となる。
【先行技術文献】
【特許文献】
【０００４】
【特許文献１】特開２００５−２４６０１０号公報
【発明の概要】
【発明が解決しようとする課題】
【０００５】
しかしながら、上記特許文献１に開示の構成においては、スリットが露出した状態にあるため、当該スリットから暖気や冷気が漏れることとなって冷暖房効果を低下させるのみならず、光の漏れや視線の入り込みも許容することとなり、本来これらを抑制・防止するべく開口部を覆う構成を採用したにもかかわらず、当該機能を十分に発揮することができないという問題があった。
【０００６】
そこで、本発明は、開口部を通過する人の通過も容易にしつつ、暖気や冷気、光や視線の流入も確実に防止・抑制することができる暖簾装置を提供することを目的とする。
【課題を解決するための手段】
【０００７】
上記課題解決のための具体的手段として、本願発明に係る暖簾装置は、
（１）水平方向に延設されて開口部の上方に取り付け可能な棹と、該棹に懸下される複数の暖簾シートとを備え、該複数の暖簾シートは、側縁部を互いに重ね合わせた状態で前記棹に取り付けられていることを特徴としている。
【０００８】
これによれば、互いに隣り合う暖簾シート同士が重なり合った状態にあるので、当該暖簾シート間の隙間（スリット）は重なり合っている部分によって覆われることとなり、これによって、当該隙間からの暖気や冷気の漏れを防止することができると共に、光や視線の入り込みも防止することができる。また、暖簾シートはそれぞれが独立して動くことが可能となっているので、当該開口部を通過する通行人も各暖簾シートを押し動かす等して容易に開口部を通過することができる。
【０００９】
（２）また、前記棹には、該棹を回転させて前記複数の暖簾シートを巻き上げる巻き上げ手段が付設されていることが好ましい。
これによれば、棹を回転させることで暖簾シートを巻き上げることができ、棹の回転を調整することによって暖簾シートを昇降させて開口部に対する暖簾シートによる遮蔽の割合を調整することができる。また、暖簾シートを巻き上げることで開口部のこちら側と向こう側とを長期に亘って連通させておくことができる。
【００１０】
（３）また、各暖簾シートは、最も小さい巻き径で前記棹に巻きつけられる複数の内暖簾シートを備えると共に、前記棹の回転軸からみて前記内暖簾シートよりも径外となる位置で前記棹に巻きつけられる外暖簾シートを前記内暖簾シートの間に備えていることが好ましい。
【００１１】
これによれば、各暖簾シートの側縁部を重ね合わせた状態を容易に形成することができる。また、内暖簾シートは、両側縁部の巻き径が同一となるので、棹に巻きつけられる過程で側縁部のずれ（撚れや捩れ）を発生させることなく巻きつけることができるものとなっている。また、外暖簾シートも、両側縁部が内暖簾シートに重なり合っているため、両側縁部の巻き径が同一となり、これによって棹に巻きつけられる過程で側縁部のずれ（撚れや捩れ）を発生させることなく巻きつけることができるものとなっている。
【００１２】
（４）また、前記棹の軸方向の最も外側に位置する内暖簾シートのさらに外側に最外外暖簾シートを備え、当該最外外暖簾シートには、前記内暖簾シートと重なり合わない最外の側縁部に沿って、当該側縁部の巻き径を前記内暖簾シートと重なり合っている側縁部と同じくする増厚部が設けられていることが好ましい。
【００１３】
最外外暖簾シートが位置する場合には、内暖簾シートと重なり合う側縁部の巻き径と最外の側縁部との巻き径とが異なるものとなるが、当該最外の側縁部に増厚部を設けることにより、当該最外の外側縁の巻き径が内暖簾シートと重なり合う側縁部の巻き径と同じくすることができ、これによって、当該最外外暖簾シートも、棹に巻きつけられる過程で側縁部のずれ（撚れや捩れ）を発生させることなく巻きつけることができるものとなっている。
【００１４】
（５）さらに、前記各暖簾シートの長さは、前記棹を取り付ける開口部の高さと略同一に形成されていることが好ましい。
これにより、暖簾シートによって開口部を略完全に覆うことができる。
【発明の効果】
【００１５】
本発明の暖簾装置によれば、開口部を通過する人の通過も容易にしつつ、暖気や冷気、光や視線の流入も確実に防止・抑制することができる。
【図面の簡単な説明】
【００１６】
【図１】本発明の第一の実施形態に係る暖簾装置の正面図である。
【図２】図１の暖簾装置のＩＩ−ＩＩ矢視図である。
【図３】本発明の第二の実施形態に係る暖簾装置の一部を切り欠いて示す正面図である。
【図４】図３の暖簾装置のＩＶ−ＩＶ矢視図である。
【図５】本発明の第三の実施形態に係る暖簾装置の一部を切り欠いて示す正面図である。
【図６】図５の暖簾装置のＶＩ−ＶＩ矢視図である。
【発明を実施するための形態】
【００１７】
以下、本発明の実施形態に係る暖簾装置を、図面を参照しながら説明する。
図１〜２は、建物の開口部Ａに設けられた本発明の第一の実施形態に係る暖簾装置１を示すもので、該暖簾装置１は、開口部Ａの上縁に水平方向に延設されて固定して取り付けられた棹２と、該棹２に上縁が取り付けられて懸下された略同一幅の複数枚（図示例では４枚）の暖簾シート３とを具備している。
暖簾装置１が取り付けられる開口部Ａは、建物内の通路、建物内の部屋の間仕切り部、窓、玄関等、特に限定されないが、本実施例では居室と廊下とを連通する開口部Ａに暖簾装置１を設けている。
棹２は、開口部Ａの長手方向に間隔をあけた複数箇所（図示例では２箇所）が固定具４を介して開口部Ａの上縁に取り付けられている。
【００１８】
各暖簾シート３は、開口部Ａの高さと略同一に形成されており、隣接する暖簾シート３と側縁部同士を互いに重ね合わせた状態で棹２に取り付けられている。
ここで、重ね合わせ方は任意であるが、図示例では、図１中、左端の暖簾シート３を紙面の奥側に配し、その右隣の暖簾シート３を、その左端部が左端の暖簾シート３の右端部に、該右隣の暖簾シート３が紙面手前にくるように重ね、順次、同様にして紙面手前から重ねて並べている。隣接する暖簾シート３同士の重ね合わせ部の幅（重なり代）は、暖冷気の漏れ防止や光、視線の防止が達成でき、通行に支障を生じない限り、任意である。
【００１９】
また、各暖簾シート３の棹２への取付方法も任意であり、例えば各暖簾シート３の上縁に筒状部を形成し、該筒状部に棹２を挿通させて取り付けることができる。但し、このような筒状部を形成した取付方法の場合は、隣り合う暖簾シート３の筒状部同士を相互に嵌挿できないので、図示例の如く、各暖簾シート３の上縁部に連通する筒状部３ａを縫製により連結し、筒状部３ａに複数の暖簾シート３が取り付けられた一体品として形成される。また、棹２に筒状部３ａを挿通して暖簾シート３を取り付ける構造では、開口部Ａに取り付けられる棹２の部分には、固定具４が装着できる適当な係合部が形成されるが、暖簾シート３の筒状部３ａには、該係合部を隠さないように開口等が予め形成され、暖簾シート３を棹２に取り付けた後に棹２を開口部Ａに取り付けることができる構成とされている。
【００２０】
かかる暖簾装置１によれば、互いに隣り合う暖簾シート３同士が重なり合った状態にあるので、当該暖簾シート３間の隙間（スリット）は重なり合っている部分によって覆われることとなり、これによって、当該隙間からの暖気や冷気の漏れを防止することができると共に、光や視線の入り込みも防止することができる。また、暖簾シート３はそれぞれが独立して動くことが可能となっているので、当該開口部Ａを通過する通行人も各暖簾シート３を押し動かす等して容易に開口部Ａを通過することができる。
特に、かかる暖簾装置１を掃き出し窓に設置した場合には、開口部を通じて頻繁な出入りを要する際にカーテンやロールスクリーンのように開口部Ａを開放する開き状態に設定する必要がないため、かかる場合であっても熱の出入りを効果的に抑制できる。
【００２１】
尚、上記実施形態において、棹２を開口部Ａの上縁部に直接取り付けたが、開口部Ａの上縁部に沿って下方が開口した長尺のボックスを、固定具を介して取り付け、該ボックス内に棹２と棹２への暖簾シート３の取付部（例えば筒状部３ａ）を収容し、該ボックスの下方開口から暖簾シート３を懸下させた構造としてもよく、かかる構造にすると、暖簾シート３の棹２への取付部が視野に入らないので、意匠性に優れる。
また、棹２を長手方向に沿ってスリットが形成された中空の筒体とし、暖簾シート３の上縁部をシート部よりも厚みのある係合部に形成し、該係合部を棹２の筒体内に挿入してスリットを通して暖簾シート３を垂下させる構造とすることもでき、かかる構造でも、棹２への暖簾シート３の取付部の意匠性は良好である。
【００２２】
図３〜４は、本発明の第二の実施形態に係る暖簾装置を示すもので、第一の実施形態と同一の構成の部分については同一の符号を付してその説明を省略ないしは簡略化する。
本実施形態では、開口部Ａの上縁部には、下方が開口され、上面、長尺の両側面及び両端面が閉塞された長尺のボックス５が、その上面の複数箇所（図示例では２箇所）を固定具４によって開口部Ａの上縁部に固定されて、取り付けられている。
【００２３】
該ボックス５内には、棹２が長手方向に沿って水平に延設され、該棹２に、第一の実施形態と同様に、複数の暖簾シート３が、その一体化された筒状部３ａを棹２に挿通されて取り付けられるが、本実施形態では、棹２は、両端がボックス５内に支持ブラケット６によって回転自在に支承されている。更に、ボックス５内には、棹２をその軸を中心に回転させて、暖簾シート３を棹２に巻き取りもしくは逆方向に回転させて巻き取られた暖簾シート３を垂下させる巻き上げ装置７が収容されている。
【００２４】
巻き上げ装置７は、棹２に取り付けられたモータと該モータを作動させる作動手段とを具備する電動式とすることもできるが、図３に示すように、棹２の一端側にプーリ７ａを固定して取付け、該プーリ７ａにボールチェーン等を巻回させてチェーンループ７ｂを形成し、該チェーンループ７ｂを所定方向に引いていくことによって棹２を所定方向に回転させて暖簾シート３を巻き上げ、またチェーンループ７ｂを逆方向に引いていくことによって棹２を逆回転させて暖簾シート３を垂下させる手動式の構造とされている。
【００２５】
また本実施形態では、奇数枚（本実施形態においては５枚）の同一幅の暖簾シート３が交互に重ね合わされており、図４に示される如く、棹２を軸方向にみて両端側に先ず暖簾シート３がそれぞれ配され、その各内側に両端の暖簾シート３の側縁部を上から覆って次の２枚の暖簾シート３が重ね合わされ、最後に残った一枚の暖簾シート３は２枚の暖簾シート３の内側で当該２枚の暖簾シートの側縁部に自らの側縁部を重ね合わせる位置にくるように配されている。すなわち、棹２の回転軸に対して内側となる暖簾シート３（内暖簾シート３ｂ）と外側となる暖簾シート３（外暖簾シート３ｃ）とが交互に配されている。
【００２６】
本実施形態によれば、巻き上げ装置７を操作して棹２を回転させることで暖簾シート３を巻き上げることができ、棹２の回転を調整することによって暖簾シート３を昇降させて開口部Ａに対する暖簾シート３による遮蔽の割合を調整することができる。また、暖簾シート３を巻き上げることで開口部Ａのこちら側と向こう側とを長期に亘って連通させておくことができる。
また、暖簾シート３は小さい巻き径で棹２に巻きつけられる内暖簾シート３ｂと、棹２の回転軸からみて内暖簾シート３ｂよりも径外となる位置で棹２に巻きつけられる外暖簾シート３ｃを交互に配置したので、内暖簾シート３ｂは、両側縁部の巻き径が同一となり、棹２に巻きつけられる過程で側縁部のずれ（撚れや捩れ）を発生させることなく巻きつけることができる。また、暖簾シート３の枚数を奇数枚とし、棹２の軸方向からみて最外となる両端側の暖簾シート３を内暖簾シート３ｂとしたので、外暖簾シート３ｃも、両側縁部が内暖簾シート３ｂに重なり合って当該両側縁部の巻き径が同一となり、棹２に巻きつけられる過程で側縁部のずれ（撚れや捩れ）を発生させることなく巻きつけることができる。よって、巻き上げ時にいずれの暖簾シート３も傾いて巻き上げられる虞がなく、各暖簾シート３を垂直に巻き上げることができ、巻き上がりも両端の内暖簾シート３ｂが棹２に密着するので良好である。
【００２７】
尚、上記実施形態において、各暖簾シート３の幅は同一寸法としたが、意匠性を損なわない限り、異なった幅寸法としてもよく、特に、両端又は中央の内暖簾シート３ｂは他の暖簾シート３と別寸法としてもよい。
【００２８】
図５〜６は、本発明の第三の実施形態に係る暖簾装置を示すもので、第二の実施形態とほぼ同一の構成であるが、暖簾シート３の枚数が偶数枚（本実施形態においては４枚）となっている点が第二の実施形態とは異なる。すなわち、本実施形態では、偶数枚の同一幅の暖簾シート３が交互に重ね合わされており、図６に示される如く、棹２の一方の端部側には内暖簾シート３ｂが配され、ついで外暖簾シート３ｃと内暖簾シート３ｂが順に交互に配されるが、棹２の他方の端部側は外暖簾シート３ｃとなる。本実施形態では、この最後の外暖簾シート３ｃ（最外外暖簾シート）には、内暖簾シート３ｂと重なり合わない最外の側縁部（内暖簾シート３ｂに重なっている側縁部とは逆の側縁部）に沿って、当該側縁部の巻き径を内暖簾シート３ｂと重なり合っている側縁部と同じくする増厚部８が上端部を筒状部３ａに取り付けて設けられている。増厚部８は、所定幅（例えば外暖簾シート３ｃが内暖簾シート３ｂと重なり合う部分と同程度の幅）で外暖簾シート３ｃと同一の長さを有し、外暖簾シート３ｃの内側（内暖簾シート３ｂと同じ側）に位置している。
【００２９】
かかる実施形態では、最外に位置する外暖簾シート３ｃは、内暖簾シート３ｂと重なり合う内側縁の巻き径と最外に位置する外側縁の巻き径とが異なるものとなるが、当該外側縁に増厚部８が設けられているので、当該外側縁の巻き径を内側縁の巻き径と同じくすることができ、これによって、当該最外の外暖簾シート３ｃも、棹２に巻きつけられる過程で側縁部のずれ（撚れや捩れ）を発生させることなく巻きつけることができる。
したがって、上記構成によれば、各暖簾シート３ｂ、３ｃの両側縁のいずれについても略互いに同一の巻き径を有することとなり、この結果、上記棹２を回転させることによって各暖簾シート３を巻き上げる場合であっても、暖簾シート３の撚れや捩れを防止してきれいに巻き上げることができる。
また、増厚部８は外暖簾シート３ｃの内側に設けられているので、正面からの視野に入らず、意匠性にも優れる。
【００３０】
以上、本発明を特定の実施形態に基づいて説明したが、矛盾するものでなければ、一の実施形態において説明した構成を他の実施形態において説明した他の構成と組み合わせても構わない。
【符号の説明】
【００３１】
Ａ          開口部
１          暖簾装置
２          棹
３          暖簾シート
３ａ        筒状部
３ｂ        内暖簾シート
３ｃ        外暖簾シート
４          固定具
５          ボックス
６          支持ブラケット
７          巻き上げ装置（巻き上げ手段）
７ａ        プーリ
７ｂ        チェーンループ
８          増厚部
【図１】
2010265602.tif 000003
【図２】
2010265602.tif 000004
【図３】
2010265602.tif 000005
【図４】
2010265602.tif 000006
【図５】
2010265602.tif 000007
【図６】
2010265602.tif 000008